(57)【要約】【課題】本発明は、乗客の滑りを低減させることができるとともに、歩行する乗客がいた場合にも、乗客の歩行方向に限らず、乗客が円滑に踏板上を歩行することができるマンコンベアの踏板を得ることを目的とするものである。【解決手段】踏板２の表面には、ステップの進行方向に平行な複数のクリート２ａが設けられている。クリート２ａは、エスカレータ乗降口に設けられたコムに係合される。踏板２のクリート２ａ間の上面には、ステップの進行方向に直交する複数の溝２ｂが互いに間隔を置いて設けられている。溝２ｂの断面形状は、略Ｖ字状である。溝２ｂの内壁は、第１及び第２の傾斜面を含んでいる。【選択図】図２
2007161441.tif 000002
【特許請求の範囲】
【請求項１】
進行方向に平行な複数のクリートが表面に設けられた踏板
を備え、
上記踏板の上記クリートの上面には、進行方向に直交する複数の溝が互いに間隔を置いて設けられており、
上記溝の内壁は、上記踏板が水平に置かれたときに鉛直面に対する傾斜角度が互いに異なる第１及び第２の傾斜面を含んでいることを特徴とするマンコンベアの踏板。
【請求項２】
上記第１の傾斜面は、マンコンベアの下部側に位置しており、上記第２の傾斜面は、マンコンベアの上部側に位置しており、鉛直面に対する上記第２の傾斜面の傾斜角度は、鉛直面に対する上記第１の傾斜面に対する傾斜角度よりも大きいことを特徴とする請求項１記載のマンコンベアの踏板。
【請求項３】
上記溝は、乗客に対して上記踏板の境界を示す注意標識帯を形成するように上記踏板の端部近傍に集中して配置されていることを特徴とする請求項１又は請求項２に記載のマンコンベアの踏板。
【発明の詳細な説明】
【技術分野】
【０００１】
この発明は、踏板表面に滑り止めが設けられたマンコンベアの踏板に関するものである。
【背景技術】
【０００２】
従来のマンコンベア用踏板では、表面に設けられたスリップ防止用凹部によって、表面の摩擦係数を高めて、乗客の履物の裏面と引っ掛かることにより、乗客の滑りを低減させる（例えば、特許文献１参照）。
【０００３】
【特許文献１】特開平４−１０６０９０号公報
【発明の開示】
【発明が解決しようとする課題】
【０００４】
上記のような従来のマンコンベア用踏板では、踏板上で停止している乗客の滑りを低減させていたが、踏板上を歩行する乗客も多く、乗客の歩行方向によって、乗客の踏板に掛ける力が異なるため、スリップ防止用凹部に乗客がつまずくことがあり、乗客の歩行の障害となることがあった。
【０００５】
この発明は、上記のような課題を解決するためになされたものであり、乗客の滑りを低減させることができるとともに、歩行する乗客がいた場合にも、乗客の歩行方向に限らず、乗客が円滑に踏板上を歩行することができるマンコンベアの踏板を得ることを目的とする。
【課題を解決するための手段】
【０００６】
この発明に係るマンコンベアの踏板は、進行方向に平行な複数のクリートが表面に設けられた踏板を備え、踏板のクリートの上面には、進行方向に直交する複数の溝が互いに間隔を置いて設けられており、溝の内壁は、踏板が水平に置かれたときに鉛直面に対する傾斜角度が互いに異なる第１及び第２の傾斜面を含んでいる。
【発明の効果】
【０００７】
この発明のマンコンベアの踏板は、鉛直面に対する傾斜角度が互いに異なる第１及び第２の傾斜面を含んだ溝によって、乗客の滑りを低減させることができるとともに、歩行する乗客がいた場合にも、歩行中の乗客のつまずきを低減させ、乗客の歩行方向に限らず、乗客が円滑に踏板上を歩行することができる。
【発明を実施するための最良の形態】
【０００８】
以下、この発明を実施するための最良の形態について、図面を参照して説明する。
実施の形態１．
図１は、この発明の実施の形態１によるエスカレータのステップを示す斜視図である。
図において、フレーム（アングル）１の上面部には、踏板２が取り付けられている。また、フレーム１の正面部には、蹴上げ板３が取り付けられている。
【０００９】
図２は、図１のステップの一部を拡大して示す斜視図である。踏板２の表面には、ステップの進行方向に平行な複数のクリート２ａが設けられている。クリート２ａは、エスカレータ乗降口に設けられたコム（図示せず）に係合される。クリート２ａがコムに係合されることによって、エスカレータ乗降口で異物等が噛み込まれるのを防ぐ。踏板２のクリート２ａの上面には、ステップの進行方向に直交する複数の溝２ｂが互いに間隔を置いて設けられている。
【００１０】
図３は、図１のステップの断面図である。溝２ｂの断面形状は、略Ｖ字状である。溝２ｂの内壁は、第１及び第２の傾斜面２ｃ，２ｄを含んでいる。第１の傾斜面２ｃは、蹴上げ板３側に位置している。第２の傾斜面２ｄは、反蹴上げ板３側に位置している。第１及び第２の傾斜面２ｃ，２ｄは、踏板２が水平に置かれたときに鉛直面に対する傾斜角度θ１，θ２が互いに異なる。具体的には、鉛直面に対する第２の傾斜面の傾斜角度θ２は、鉛直面に対する第１の傾斜面の傾斜角度θ１よりも大きい（θ１＜θ２）。
【００１１】
ここで、溝２ｂの加工方法の一例について説明する。溝２ｂの形状が形成された踏板２のアルミダイキャスト（鋳型鋳造）用の金型によって、踏板２の完成時に、踏板２の表面に溝２ｂが形成される。また、他の加工方法の一例では、アルミダイキャスト、又は鋼板の折り曲げによって完成された踏板２に機械加工等を施すことによって、踏板２の表面に溝２ｂが形成（付加）される。
【００１２】
上記のようなエスカレータのステップでは、乗客の歩行方向を考慮し、鉛直面に対する傾斜角度が互いに異なる傾斜面を含んだ溝２ｂを踏板２の表面に設けたので、踏板２の表面の摩擦係数を乗客の歩行方向に対応させることができる。
【００１３】
また、図４は、踏板２に対する乗客の下降方向への歩行動作を示す説明図である。下降方向に進行しているステップ上を下降方向へ歩行する乗客が、下段のステップに片足を踏み出し、着地した（踏ん張る）際に、踏板２の上面と乗客の足との接触点に乗客の体重が掛かることによって、蹴上げ板３方向に力１０が発生される。そして、第１の傾斜面２ｃに乗客の履物の裏面が引っ掛かることによって、摩擦力が生じ、発生した力１０が打ち消される。
【００１４】
さらに、図５は、踏板２に対する乗客の上昇方向への歩行動作を示す説明図である。上昇方向に進行しているステップ上を上昇方向へ歩行する乗客が、上段のステップに一方の足を踏み出した際に、一方の足の履物の裏面は、上段の踏板２の表面の第２の傾斜面２ｄに引っ掛かりにくく、乗客が溝２ｂにつまずきにくい。さらにまた、下段の踏板２の上面と他方の足との接触点に乗客の体重が掛かることによって、蹴上げ板３方向に力１１が発生される。そして、下段の踏板２の第１の傾斜面２ｃに乗客の履物の裏面が引っ掛かることによって、摩擦力が生じ、発生した力１１が打ち消される。
【００１５】
これにより、乗客の滑りを低減させることができるとともに、乗客がステップ上を上昇方向へ歩行する場合と、乗客がステップ上を下降方向へ歩行する場合とでは、踏板２表面の摩擦係数が異なるため、歩行する乗客がいた場合にも、乗客が円滑に踏板２上を歩行することができる。
【００１６】
なお、実施の形態１では、エスカレータのステップであるが、傾斜形の動く歩道の踏板に実施の形態１と同じ構成を施すことにより、同様の効果を得ることができる。
【００１７】
実施の形態２．
次に、この発明の実施の形態２について説明する。図６は、この発明の実施の形態２によるエスカレータのステップを示す拡大図である。実施の形態１では、溝２ｂが表面に均一に配置されていたが、乗客に対して踏板２の境界を示す注意標識帯を形成するように踏板２の蹴上げ板３側近傍に、溝２ｂが集中して配置されている。即ち、溝２ｂの配置密度が蹴上げ板３側の端部近傍で高くなっている。他の構成は実施の形態１と同様である。
【００１８】
上記のようなエスカレータのステップでは、溝２ｂが乗客に対して踏板２の境界を示す注意標識帯を形成するように踏板２の蹴上げ板３側の端部近傍に集中して配置されているので、乗客の滑りを低減させることができるとともに、踏板２の境界の乗客に対する視認性を向上させることができる。
【００１９】
なお、実施の形態２では、溝２ｂが踏板２の蹴上げ板３側の端部近傍に集中して配置されていたが、蹴上げ板側の端部近傍に限るものではなく、反蹴上げ板側の端部近傍、及び踏板の測端部近傍に集中して配置されてもよい。これにより、スカートガード及び上段ステップと踏板との境界の乗客に対する視認性を向上させることができる。
【００２０】
また、溝を乗客の注意を喚起させる色（例えば黄色）に着色させてもよい。これにより、乗客に対する踏板の境界の視認性をさらに向上させることができる。
【００２１】
さらに、実施の形態２では、踏板２の蹴上げ板３側の端部近傍にのみ溝２ｂが設けられていたが、踏板全体に溝を設けた上で、踏板の蹴上げ板側に対する溝の配置密度を高くしてもよい。
【００２２】
さらにまた、実施の形態１，２では、溝２ｂの断面形状が略Ｖ字状であったが、略Ｖ字状に限るものではなく、例えば台形状など溝の内壁が第１及び第２の傾斜面を含んでいれば他の断面形状であってもよい。
【図面の簡単な説明】
【００２３】
【図１】この発明の実施の形態１によるエスカレータのステップを示す斜視図である。
【図２】図１のステップの一部を拡大して示す斜視図である。
【図３】図１のステップの断面図である。
【図４】踏板に対する乗客の下降方向への歩行動作を示す説明図である。
【図５】踏板に対する乗客の上昇方向への歩行動作を示す説明図である。
【図６】この発明の実施の形態２によるエスカレータのステップを示す拡大図である。
【符号の説明】
【００２４】
２  踏板、２ａ  クリート、２ｂ  溝、２ｃ  第１の傾斜面、２ｄ  第２の傾斜面、３  蹴上げ板。
【図１】
2007161441.tif 000003
【図２】
2007161441.tif 000004
【図３】
2007161441.tif 000005
【図４】
2007161441.tif 000006
【図５】
2007161441.tif 000007
【図６】
2007161441.tif 000008